(57)【要約】本発明はスプレーポンプに関するもので、本発明による場合、シリンダーハウジングの内部に位置するシールキャップを上下に２つ設置して内容物の漏液を防止することができ、シリンダーハウジングの壁面に一つ以上の漏液排出孔を形成して、内容物の移動通路ではないシリンダーハウジング内に蓄積される内容物を漏液排出孔を通じて排出して效率的に作動できるようにすることを特徴とする。【選択図】図２
2014532013.tif 000002
【特許請求の範囲】
【請求項１】
液状物質を噴霧するスプレーポンプにおいて、
中央に通孔（１１１）が形成されているアンダーキャップ（１１０）と；
前記アンダーキャップ（１１０）の前記通孔（１１１）に結合され、内側にステム設置孔（１２１）が形成されているオーバーキャップ（１２０）と；
前記オーバーキャップ（１２０）の下部に結合され、下側に吸入通孔が形成されており、前記吸入通孔の上側の内部底面には吸入方向のみに流体の流れを許容するチェックバルブ（１３２）が安着されて設置されるシリンダーハウジング（１３０）と；
前記オーバーキャップ（１２０）の前記ステム設置孔（１２１）を貫通して設置され、中央は上下に貫通されているステム（１４０）と；
前記オーバーキャップ（１２０）と前記ステム（１４０）の外周縁との間に設置される主スプリング（１４５）と；
前記ステム（１４０）の下側に嵌合され、中心軸には、上側は開放され、下側は塞がられている流体通過孔（１５１）が形成されており、前記流体通過孔（１５１）の下部側面に２つ以上の側面通過孔（１５２）が形成されているピストンロッド（１５０）と；
前記ピストンロッド（１５０）の下側に上下に移動可能に設置されて、下降位置では前記側面通過孔（１５２）を閉鎖させ、上昇位置では前記側面通過孔（１５２）を開放させ、外周縁が前記シリンダーハウジング（１３０）の内面に密着される第１シールキャップ（１６０）と；
前記第１シールキャップ（１６０）の上側に前記ピストンロッド（１５０）に結合され、その外周縁が前記シリンダーハウジング（１３０）の内面に密着される第２シールキャップ（１７０）と；
前記第２シールキャップ（１７０）と前記第１シールキャップ（１６０）との間に設置される内部スプリング（１７５）と；
前記シリンダーハウジング（１３０）の側面壁に形成され、前記第１シールキャップ（１６０）の上死点上側且つ前記第２シールキャップ（１７０）の下死点下側に位置する第１漏液排出孔（１３５）と；
前記シリンダーハウジング（１３０）の側面壁に形成されて、前記第２シールキャップ（１７０）の上死点下側に位置する第２漏液排出孔（１３６）と；
前記ステム（１４０）の上側に結合され、側方に連通される噴射通路（１９１）が形成された噴射ボタン（１９０）と；
前記噴射通路の排出口に結合される噴射ノズル部材（１９２）と；を含んで構成されることを特徴とするスプレーポンプ（１００）。
【請求項２】
前記ステム（１４０）は上側外周縁に沿ってスプリング係止突起（１４１）がさらに形成されており、
前記主スプリング（１４５）は前記オーバーキャップ（１２０）の上面と前記スプリング係止突起（１４１）との間に設置され、
前記噴射ボタン（１９０）が通過することができる開口部（１９６）が上側に形成され、前記アンダーキャップ（１１０）に結合される外部カバー（１９５）をさらに含んで構成されることを特徴とする請求項１に記載のスプレーポンプ（１００）。
【請求項３】
前記噴射ノズル部材（１９２）は透明または半透明材質で製作され、前記噴射ノズル部材（１９２）の噴射角度によって色を異なるようにする噴射ノズル連結部材（１９３）が前記噴射通路（１９１）と前記噴射ノズル部材（１９２）との間にさらに挿入されて設置されることを特徴とする請求項１または請求項２に記載のスプレーポンプ（１００）。
【発明の詳細な説明】
【技術分野】
【０００１】
本発明はスプレーポンプに関するもので、液体物質を噴霧するスプレーポンプにおいて、アンダーキャップ１１０と、上記アンダーキャップ１１０に結合されるオーバーキャップ１２０と、上記オーバーキャップ１２０の下部に結合され、下側に吸入通孔が形成されており、上記吸入通孔の上側の内部底面にはチェックバルブ１３２が安着されて設置されるシリンダーハウジング１３０と、上記オーバーキャップ１２０を貫通して設置されるステム１４０と、上記オーバーキャップ１２０と上記ステム１４０の外周縁との間に設置される主スプリング１４５と、上記ステム１４０に結合され、下部側面に２つ以上の側面通過孔１５２が形成されているピストンロッド１５０と、上記ピストンロッド１５０の下側に上下に移動可能に設置される第１シールキャップ１６０と、上記第１シールキャップ１６０の上側に上記ピストンロッド１５０に結合される第２シールキャップ１７０と、上記第２シールキャップ１７０と上記第１シールキャップ１６０との間に設置される内部スプリング１７５と、上記シリンダーハウジング１３０の側面壁に形成され、上記第１シールキャップ１６０の上死点の上側且つ上記第２シールキャップ１７０の下死点の下側に位置する第１漏液排出孔１３５と、上記シリンダーハウジング１３０の側面壁に形成され、上記第２シールキャップ１７０の上死点の下側に位置する第２漏液排出孔１３６と、上記ステム１４０の上側に結合され、側方に連通される噴射通路１９１が形成された噴射ボタン１９０と、上記噴射通路の排出口に結合される噴射ノズル部材１９２と；を含んで構成されることを特徴とするスプレーポンプ１００に関するものである。
【背景技術】
【０００２】
スプレーポンプは、使用者がボタンを押すなどの動作をする場合、液体状態の内容物を噴霧状態に噴射するポンプで、一般的に、液状の化粧品または医薬品などの容器に保存された液状内容物を噴射するのに広く用いられる。
【０００３】
このようなスプレーポンプについては、大韓民国登録特許第１０−０４８５０３９号「化粧品容器のスプレーポンプ」（以下、「特許文献１」という。）または大韓民国公開特許第１０−２０００−００５２８８１号「濃縮され且つ減少された容量のスプレーポンプ供給システム」（以下、「特許文献２」という。）のような多数の実施例が提案されて来た。
【０００４】
特許文献１の「化粧品容器のスプレーポンプ」は、図１に示すように、ハウジング２０内に上向きに突出される円筒状の案内管２４を形成して、圧縮室２１と作動室２２とを確実に区画し、また、上記第２バルブ５０の下部の外表面には所定弾性を有する密閉リング５１が外向に突出されるように一体に形成されるが、下向きテーパー面を有するように形成されることによって、圧縮室２１内の圧力が増加されるほど密閉リング５１が外側に広がって案内管２４との気密性がさらに向上されるように構成されることを特徴とする。しかし、特許文献１の先行発明はハウジング２０の内部にスプリングが設置されて、ポンピング部材を作動させる金属製スプリングが内容物と直接接触されて、内容物によって金属製スプリングが腐食されるなどの問題点があった。
【０００５】
また、ピストンリング３１の上側に漏液排出孔が１つのみ形成されているため、上記ピストンリング３１が上昇する場合のみ流体が通過する通路以外の空間に累積されている漏液の排出が可能で、效率的な漏液排出が不可能で、その作動が非效率的であるという問題点があった。上述した問題点は特許文献２の先行技術にも同様に存在している。
【発明の概要】
【発明が解決しようとする課題】
【０００６】
本発明は、上述した従来の問題点を解決して、シリンダーハウジングの内部に位置するシールキャップを上下に２つ設置して、内容物の漏液を防止することができ、シリンダーハウジングの壁面に一つ以上の漏液排出孔を形成して内容物の移動通路ではないシリンダーハウジング内に蓄積される内容物を一つ以上の漏液排出孔を通じて排出して、效率的に作動することができるようにすることをその課題とする。
【０００７】
また、ピストンロッドを作動させる金属製スプリングが内容物と直接接触されないようにステムの上部にスプリング係止突起を形成することによって、シリンダーハウジングの内部で内容物が移動するピストンロッドの下端に設置されたスプリングをシリンダーハウジングの外部に設置することが可能になって、内容物によってスプリングが腐食されることを防止し、スプリングの腐食による内容物の変質を防止することができるようにすることをその課題とする。
【０００８】
一方、用いる噴射ノズル部材の噴射角度によってその色を異なるようにする構成を通じて、肉眼でも容易に噴射角度を区別して用いることができるようにすることをその課題とする。
【課題を解決するための手段】
【０００９】
上述した課題を達するために、本発明は、液状物質を噴霧するスプレーポンプにおいて、中央に通孔１１１が形成されているアンダーキャップ１１０と；上記アンダーキャップ１１０の上記通孔１１１に結合され、内側にステム設置孔１２１が形成されているオーバーキャップ１２０と；上記オーバーキャップ１２０の下部に結合され、下側に吸入通孔が設置されており、上記吸入通孔の上側の内部底面には吸入方向のみに流体の流れを許容するチェックバルブ１３２が安着されて設置されるシリンダーハウジング１３０と；上記オーバーキャップ１２０の上記ステム設置孔１２１を貫通して設置され、中央は上下に貫通されているステム１４０と；上記オーバーキャップ１２０と上記ステム１４０の外周縁との間に設置される主スプリング１４５と；上記ステム１４０の下側に嵌合され、中心軸には上側は開放され且つ下側は塞がられている流体通過孔１５１が形成されており、上記流体通過孔１５１の下部側面に２つ以上の側面通過孔１５２が形成されているピストンロッド１５０と；上記ピストンロッド１５０の下側に上下に移動可能に設置され、下降位置では上記側面通過孔１５２を閉鎖させ、上昇位置では上記側面通過孔１５２を開放させ、外周縁が上記シリンダーハウジング１３０の内面に密着される第１シールキャップ１６０と；上記第１シールキャップ１６０の上側に上記ピストンロッド１５０に結合され、その外周縁が上記シリンダーハウジング１３０の内面に密着される第２シールキャップ１７０と；上記第２シールキャップ１７０と上記第１シールキャップ１６０との間に設置される内部スプリング１７５と；上記シリンダーハウジング１３０の側面壁に形成され、上記第１シールキャップ１６０の上死点上側且つ上記第２シールキャップ１７０の下死点下側に位置する第１漏液排出孔１３５と；上記シリンダーハウジング１３０の側面壁に形成され、上記第２シールキャップ１７０の上死点下側に位置する第２漏液排出孔１３６と；上記ステム１４０の上側に結合され、側方に連通される噴射通路１９１が形成された噴射ボタン１９０と；上記噴射通路の排出口に結合される噴射ノズル部材１９２と；を含んで構成されることを特徴とする。
【００１０】
また、上記ステム１４０は上側外周縁に沿ってスプリング係止突起１４１がさらに形成され、上記主スプリング１４５は上記オーバーキャップ１２０の上面と上記スプリング係止突起１４１との間に設置され、上記噴射ボタン１９０が通過することができる開口部が上側に形成され、上記アンダーキャップ１１０に結合される外部カバー１９５をさらに含んで構成されることを特徴とする。
【００１１】
一方、上記噴射ノズル部材１９２は透明または半透明材質で製作され、上記噴射ノズル部材１９２の噴射角度によって色を異なるようにする噴射ノズル連結部材１９３が上記噴射通路１９１と上記噴射ノズル部材１９２との間にさらに挿入されて設置されることを特徴とする。
【発明の効果】
【００１２】
本発明による場合、シリンダーハウジングの内部に位置するシールキャップを上下に２つ設置して内容物の漏液を防止することができ、シリンダーハウジングの壁面に一つ以上の漏液排出孔を形成して、内容物の移動通路ではないシリンダーハウジング内に蓄積される内容物を一つ以上の漏液排出孔を通じて排出して、效率的な作動が可能であるという効果を奏する。
【００１３】
また、ピストンロッドを作動させる金属製スプリングが内容物と直接接触されないように、ステムの上部にスプリング係止突起を形成することによって、シリンダーハウジングの内部で内容物が移動するピストンロッドの下端に設置されたスプリングをシリンダーハウジングの外部に設置することが可能になって、内容物によってスプリングが腐食されることを防止し、スプリングの腐食による内容物の変質を防止することができるという効果を奏する。
【００１４】
一方、噴射ノズル部材１９２の噴射角度によって色を異なるようにする噴射ノズル連結部材１９３を挿入して、肉眼でも容易に噴射角度を区別して用いることができるという效果を奏する。
【図面の簡単な説明】
【００１５】
【図１】従来の実施例によるスプレーポンプの断面図である。
【図２】本発明の一実施例によるスプレーポンプの断面図である。
【図３】本発明の一実施例によるスプレーポンプの噴射時の断面図である。
【図４】本発明の一実施例によるスプレーポンプの分解結合断面図である。
【発明を実施するための形態】
【００１６】
以下では、添付された図面を参照して本発明の一実施例によるスプレーポンプを詳しく説明する。まず、図面において、同じ構成要素または部品は同じ符号で示している事に留意すべきである。本発明を説明する際に、係わる公知機能或いは構成に関する具体的な説明は本発明の要旨を明確にするために省略する。
【００１７】
本発明は、図２に示すように、大体アンダーキャップ１１０、オーバーキャップ１２０、シリンダーハウジング１３０、ステム１４０、主スプリング１４５、ピストンロッド１５０、第１シールキャップ１６０、第２シールキャップ１７０、内部スプリング１７５、第１漏液排出孔１３５、第２漏液排出孔１３６及び噴射ボタン１９０を含んで構成される。
【００１８】
まず、アンダーキャップ１１０について説明する。上記アンダーキャップ１１０は、図２に示すように、中央に通孔１１１が形成されており、一般的に液状内容物が保存された容器の上側に結合される。この場合、上記アンダーキャップ１１０と上記容器との密閉力を増加させるために、図２に示すように、ガスケット（ｇａｓｋｅｔ）１１２がさらに設置されることが好ましい。
【００１９】
次に、オーバーキャップ１２０について説明する。上記オーバーキャップ１２０は、図２及び図４に示すように、上記アンダーキャップ１１０の上記通孔１１１に結合され、内側にはステム設置孔１２１が形成されている。上記オーバーキャップ１２０の下部には、図２及び図４に示すように、下側に吸入通孔が設置されており、上記吸入通孔の上側の内部底面には吸入方向のみに流体の流れを許容するチェックバルブ１３２が安着されて設置されるシリンダーハウジング１３０が結合される。
【００２０】
上記オーバーキャップ１２０の上記ステム設置孔１２１を貫通して、図２及び図４に示すように、中央は上下に貫通され、上側外周縁に沿ってスプリング係止突起１４１が形成されているステム１４０が設置される。一方、図２及び図３に示すように、上記オーバーキャップ１２０と上記ステム１４０の外周縁との間には主スプリング１４５が設置されて、上記ステム１４０が上記オーバーキャップ１２０に対して弾性を受けて作動可能にさせると同時に、液状内容物と上記主スプリング１４５との接触可能性を根本的に遮断して、上記主スプリング１４５が液状内容物によって腐食されたり損傷されることを防止することができる。この場合、上記主スプリング１４５を上記オーバーキャップ１２０と上記ステム１４０の外周縁との間に設置する実施例としては非常に多様な実施例が可能であり、その一実施例としては、図２及び図３に示すように、上記ステム１４０は上側外周縁に沿ってスプリング係止突起１４１がさらに形成されており、上記主スプリング１４５は上記シリンダーオーバーキャップ１２０の上面と上記スプリング係止突起１４１との間に設置されるようにすることが好ましい。
【００２１】
上記ステム１４０の下側には、図２及び図４に示すように、中心軸には、上側は開放され且つ下側は塞がられている流体通過孔１５１が形成されており、上記流体通過孔１５１の下部側面に２つ以上の側面通過孔１５２が形成されているピストンロッド１５０が嵌合される。上記ピストンロッド１５０の下側には、図２及び図４に示すように、下降位置では上記側面通過孔１５２を閉鎖させ、上昇位置では上記側面通過孔１５２を開放させることができるように上下に移動可能に設置され、外周縁が上記シリンダーハウジング１３０の内面に密着される第１シールキャップ１６０が設置される。
【００２２】
一方、上記第１シールキャップ１６０の上側には、図２及び図４に示すように、上記ピストンロッド１５０に結合され、その外周縁が上記シリンダーハウジング１３０の内面に密着される第２シールキャップ１７０が設置される。上記第２シールキャップ１７０と上記第１シールキャップ１６０との間には、図２及び図４に示すように、内部スプリング１７５が設置されて、上記内部スプリング１７５の弾性と液状内容物の粘性による作動圧力の差によって上記第１シールキャップ１６０が上昇したり下降しながら、上記側面通過孔１５２を開放したり閉鎖することが可能になる。
【００２３】
上記シリンダーハウジング１３０の側面壁には、図２及び図４に示すように、上記第１シールキャップ１６０の上死点上側でありながら上記第２シールキャップ１７０の下死点下側に位置する第１漏液排出孔１３５が形成され、上記第２シールキャップ１７０の上死点下側に位置する第２漏液排出孔１３６が形成される。従って、第１シールキャップ１６０と上記第２シールキャップ１７０との間の空間に漏液が発生する場合、上記第２シールキャップ１７０が下降しながら、順次に上記第２漏液排出孔１３６及び上記第１漏液排出孔１３５を通じて漏液を排出する。一方、上記第２シールキャップ１７０の上側では、液状内容物が上記第１シールキャップ１６０及び上記第２シールキャップ１７０と上記シリンダーハウジング１３０の側面壁の間の微細な隙間をすべて通過する場合のみ漏液が発生することがあるので、漏液が発生する可能性がほとんどないが、例え漏液が発生する場合には、図３に示すように、上記第２シールキャップ１７０が上昇しながら上記第２漏液排出孔１３６を通じて漏液を排出する。従って、液状内容物が通過する通路以外の場所に漏液が発生して累積される可能性を完璧に遮断することができる。
【００２４】
この場合、従来の発明でスプリングが常に液状内容物が満たされている空間内に設置されるのと違って、上記内部スプリング１７５は上記第１シールキャップ１６０と上記第２シールキャップ１７０との間の空間に位置するようになる。上記第１シールキャップ１６０と上記第２シールキャップ１７０との間の空間は漏液が発生する場合のみに微量の液状内容物の侵入が可能な空間であり、同時に、上述したように、漏液が直ちに效率的に排出されることができる空間であるので、上記内部スプリング１７５は従来の発明と違って液状内容物とほとんど接触しないことが可能で、腐食などの損傷がほとんど発生しなくなる。
【００２５】
次に、上記ステム１４０の上側には、図２及び図４に示すように、側方に連通される噴射通路１９１が形成された噴射ボタン１９０が結合され、上記噴射通路１９１の排出口には噴射ノズル部材１９２が結合される。この場合、上記噴射ノズル部材１９２は透明または半透明材質で製作され、上記噴射ノズル部材１９２の噴射角度によって色を異なるようにする噴射ノズル連結部材１９３が、図４に示すように、上記噴射通路１９１と上記噴射ノズル部材１９２との間にさらに挿入されて設置される。それによって、色の差を通じて肉眼でも容易に噴射角度を区別して用いることができるようにことが好ましい。
【００２６】
一方、作動部分を保護し、見掛けを仕上げるために、図２及び図４に示すように、上記噴射ボタン１９０が通過することができる開口部が上側に形成され、上記アンダーキャップ１１０に結合される外部カバー１９５をさらに含んで構成されることが好ましい。
【００２７】
以下では、本発明の一実施例によるスプレーポンプの作動について説明する。
【００２８】
まず、図２に示すような待機状態では、上記チェックバルブ１３２を通過して吸入された液状内容物が上記第１シールキャップ１６０の下部に保存される。この場合、上記第１シールキャップ１６０は上記内部スプリング１７５によって上記ピストンロッド１５０に対して下降した状態を保持しながら上記側面通過孔１５２を閉鎖する。
【００２９】
その後、図３に示すように、使用者が上記噴射ボタン１９０を押すと、上記ピストンロッド１５０が下降する。この場合、上記第１シールキャップ１６０の下部に保存された液状内容物によって加えられる圧力によって、上記第１シールキャップ１６０が上記ピストンロッド１５０に対して若干上昇して、上記側面通過孔１５２を開放する。従って、液状内容物が上記側面通過孔１５２−流体通過孔１５１−噴射通路１９１の経路を通過して上記噴射ノズル部材１９２を通じて噴射される。
【００３０】
次に、使用者が上記噴射ボタン１９０を離すと、上記主スプリング１４５によって上記ピストンロッド１５０が上昇する。この時、上記第１シールキャップ１６０は上記内部スプリング１７５によって上記ピストンロッド１５０に対して下降した状態を保持しながら上記側面通過孔１５２を再び閉鎖し、上記第１シールキャップ１６０の上記シリンダーハウジング１３０に対する上昇作動によって、上記シリンダーハウジング１３０の上記第１シールキャップ１６０の下部圧力が下降しながら、上記チェックバルブ１３２を通じて液状内容物を吸入して、上記シリンダーハウジング１３０の上記第１シールキャップ１６０の下部に保存しながら、一周期の作動を完了する。
【００３１】
図面及び明細書に最適な実施例が開示された。ここで特定用語を用いたが、これは本発明を説明するための目的で用いられたものであって、意味の限定や特許請求の範囲に記載された本発明の範囲を制限するためのものではない。従って、本発明が属する技術分野における通常の知識を有する者であれば、これから多様な変形及び均等な他の実施例が可能であることを理解すべきである。また、本発明の真の技術的保護範囲は特許請求の範囲の技術的思想によって定められるべきである。
【図１】
2014532013.tif 000003
【図２】
2014532013.tif 000004
【図３】
2014532013.tif 000005
【図４】
2014532013.tif 000006
【国際調査報告】
2014532013.tif 000007
2014532013.tif 000008
2014532013.tif 000009
2014532013.tif 000010